【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
無線移動通信システムで、連続的な仮想資源ブロック（ＶＲＢ）の開始インデックス（Ｓ）及び前記ＶＲＢの長さ（Ｌ）を示す資源指示値（ＲＩＶ）を検出する方法であって、
前記方法は、
資源ブロック割り当て情報を含むダウンリンク制御情報を受信することと、
前記資源ブロック割り当て情報から前記資源指示値（ＲＩＶ）を検出することと
を含み、
【化７９】
2011519208.tif 000001
である場合、前記資源指示値（ＲＩＶ）は
【化８０】
2011519208.tif 000002
により表わされ、そうでない場合、前記資源指示値（ＲＩＶ）は
【化８１】
2011519208.tif 000003
により表わされ、Ｘは
【化８２】
2011519208.tif 000004
により表わされ、Ｙは
【化８３】
2011519208.tif 000005
により表わされ、Ｚは
【化８４】
2011519208.tif 000006
により表わされ、Ｌは、前記連続的な仮想資源ブロック（ＶＲＢ）の長さであり、Ｓは、前記連続的な仮想資源ブロック（ＶＲＢ）の開始インデックス値であり、ＮＲＢは、前記無線移動通信システムで使用可能な資源ブロック（ＲＢ）の個数であり、Ｌ及びＳのそれぞれは、Ｇの整数倍であり、Ｇは予め決定された自然数である、方法。
【請求項２】
前記資源指示値（ＲＩＶ）を伝送するために使用されるビットフィールドの長さＮｂｉｔ＿ｒｅｑｕｉｒｅｄは
【化８５】
2011519208.tif 000007
により表わされ、前記ビットフィールドは、前記無線移動通信システムの基地局から前記無線移動通信システムの移動局へと伝送され、ＲＩＶｍａｘは
【化８６】
2011519208.tif 000008
により表わされる、請求項１に記載の方法。
【請求項３】
前記ＮＲＢの値は
【化８７】
2011519208.tif 000009
により表わされ、ＮＶＲＢは、前記無線移動通信システムで使用可能な仮想資源ブロック（ＶＲＢ）の個数である、請求項１又は２に記載の方法。
【請求項４】
前記Ｇの値は１（Ｇ＝１）である、請求項１又は２に記載の方法。
【請求項５】
コードワードに対してコンパクトスケジューリングをサポートする無線移動通信システムで、連続的な仮想資源ブロック（ＶＲＢ）の開始インデックス（Ｓ）及び前記ＶＲＢの長さ（Ｌ）を示す資源指示値（ＲＩＶ）を検出する方法であって、
前記方法は、
資源ブロック割り当て情報を含むダウンリンク制御情報を受信することと、
前記受信されたダウンリンク制御情報のダウンリンク制御情報フォーマットが前記コンパクトスケジューリングが使用されることを示す場合、前記資源ブロック割り当て情報から前記資源指示値（ＲＩＶ）を検出することと
を含み、
前記開始インデックス（Ｓ）は、第１の集合｛ｓ：ｓ＝Ｐ＋ｍＴ＜ＮＲＢ｝の要素のうちいずれか一つであり、Ｐは、予め決定された０以上の整数であり、Ｔは予め決定された自然数であり、ｍは０以上の整数であり、ＮＲＢは、前記無線移動通信システムで使用可能な資源ブロック（ＲＢ）の個数であり、前記長さ（Ｌ）は、第２の集合｛ｌ：ｌ＝Ｋ＋ｎＧ≦ＮＲＢ｝の要素のうちいずれか一つであり、Ｋは予め決定された０以上の整数であり、Ｇは予め決定された自然数であり、ｎは自然数である、方法。
【請求項６】
前記Ｔの値は前記Ｇの値と同じである、請求項５に記載の方法。
【請求項７】
前記Ｐの値は０（Ｐ＝０）であり、前記Ｋの値は０（Ｋ＝０）である、請求項５に記載の方法。
【請求項８】
前記Ｐの値は０（Ｐ＝０）であり、前記Ｋの値は０（Ｋ＝０）である、請求項６に記載の方法。
【請求項９】
前記ＮＲＢの値は
【化８８】
2011519208.tif 000010
により表わされ、ＮＶＲＢは、前記無線移動通信システムで使用可能な仮想資源ブロック（ＶＲＢ）の個数である、請求項８に記載の方法。
【請求項１０】
前記ｌの値は、予め決定されたＬｌｉｍｉｔより小さいか同じであり、前記Ｌｌｉｍｉｔは、前記Ｋより大きいか同じであり、前記ＮＲＢの値より小さい、請求項５から請求項９のうちいずれか１項に記載の方法。
【請求項１１】
無線移動通信システムで、連続的な仮想資源ブロック（ＶＲＢ）の開始インデックス（Ｓ）及び前記ＶＲＢの長さ（Ｌ）を示す資源指示値（ＲＩＶ）を検出する装置であって、
前記装置は、
資源ブロック割り当て情報を含むダウンリンク制御情報を受信する受信機と、
前記資源ブロック割り当て情報から前記資源指示値（ＲＩＶ）を検出するプロセッサと
を含み、
【化８９】
2011519208.tif 000011
である場合、前記資源指示値（ＲＩＶ）は
【化９０】
2011519208.tif 000012
により表わされ、そうでない場合、前記資源指示値（ＲＩＶ）は
【化９１】
2011519208.tif 000013
により表わされ、Ｘは
【化９２】
2011519208.tif 000014
により表わされ、Ｙは
【化９３】
2011519208.tif 000015
により表わされ、Ｚは
【化９４】
2011519208.tif 000016
により表わされ、Ｌは、前記連続的な仮想資源ブロック（ＶＲＢ）の長さであり、Ｓは、前記連続的な仮想資源ブロック（ＶＲＢ）の開始インデックス値であり、ＮＲＢは、前記無線移動通信システムで使用可能な資源ブロック（ＲＢ）の個数であり、Ｌ及びＳのそれぞれは、Ｇの整数倍であり、Ｇは予め決定された自然数である、装置。
【請求項１２】
前記ＮＲＢの値は
【化９５】
2011519208.tif 000017
により表わされ、ＮＶＲＢは、前記無線移動通信システムで使用可能な仮想資源ブロック（ＶＲＢ）の個数である、請求項１１に記載の装置。
【請求項１３】
前記Ｇの値は１（Ｇ＝１）である、請求項１１に記載の装置。
【請求項１４】
前記資源指示値（ＲＩＶ）を伝送するために使用されるビットフィールドの長さＮｂｉｔ＿ｒｅｑｕｉｒｅｄは
【化９６】
2011519208.tif 000018
により表わされ、ＲＩＶｍａｘは
【化９７】
2011519208.tif 000019
により表わされる、請求項１１に記載の装置。
【請求項１５】
前記ＮＲＢの値は
【化９８】
2011519208.tif 000020
により表わされ、ＮＶＲＢは、前記無線移動通信システムで使用可能な仮想資源ブロック（ＶＲＢ）の個数である、請求項１４に記載の装置。
【請求項１６】
前記Ｇの値は１（Ｇ＝１）である、請求項１４に記載の装置。
【請求項１７】
無線移動通信システムで、連続的な仮想資源ブロック（ＶＲＢ）の開始インデックス（Ｓ）及び前記ＶＲＢの長さ（Ｌ）を示す資源指示値（ＲＩＶ）を検出する装置であって、
前記装置は、
資源ブロック割り当て情報を含むダウンリンク制御情報を受信する受信機と、
前記資源ブロック割り当て情報から前記資源指示値（ＲＩＶ）を検出するプロセッサと
を含み、
前記開始インデックス（Ｓ）は、第１の集合｛ｓ：ｓ＝Ｐ＋ｍＴ＜ＮＲＢ｝の要素のうちいずれか一つであり、Ｐは、予め決定された０以上の整数であり、Ｔは予め決定された自然数であり、ｍは０以上の整数であり、ＮＲＢは、前記無線移動通信システムで使用可能な資源ブロック（ＲＢ）の個数であり、前記長さ（Ｌ）は、第２の集合｛ｌ：ｌ＝Ｋ＋ｎＧ≦ＮＲＢ｝の要素のうちいずれか一つであり、Ｋは予め決定された０以上の整数であり、Ｇは予め決定された自然数であり、ｎは自然数である、装置。
【請求項１８】
前記Ｔの値は前記Ｇの値と同じである、請求項１７に記載の装置。
【請求項１９】
前記Ｐの値は０（Ｐ＝０）であり、前記Ｋの値は０（Ｋ＝０）である、請求項１７に記載の装置。
【請求項２０】
前記Ｐの値は０（Ｐ＝０）であり、前記Ｋの値は０（Ｋ＝０）である、請求項１８に記載の装置。
【請求項２１】
前記ＮＲＢの値は
【化９９】
2011519208.tif 000021
により表わされ、ＮＶＲＢは、前記無線移動通信システムで使用可能な仮想資源ブロック（ＶＲＢ）の個数である、請求項２０に記載の装置。
【請求項２２】
前記ｌの値は、予め決定されたＬｌｉｍｉｔより小さいか同じであり、前記Ｌｌｉｍｉｔは、前記Ｋより大きいか同じであり、前記ＮＲＢの値より小さい、請求項１７に記載の装置。
【手続補正２】
【補正対象書類名】明細書
【補正対象項目名】００１８
【補正方法】変更
【補正の内容】
【００１８】
本発明は、例えば、以下の項目を提供する。
（項目１）
無線移動通信システムで、連続的な仮想資源ブロックの開始インデックス（Ｓ）及び長さ（Ｌ）を示す資源指示値（Ｒｅｓｏｕｒｃｅ  Ｉｎｄｉｃａｔｉｏｎ  Ｖａｌｕｅ；ＲＩＶ）を検出する方法であって、
資源ブロック割り当て情報を含むダウンリンク制御情報を受信し、
前記資源ブロック割り当て情報から前記資源指示値を検出することを含み、
【化７１】
2011519208.tif 000022
である場合、前記資源指示値は
【化７２】
2011519208.tif 000023
の値を有し、そうでない場合、前記資源指示値は
【化７３】
2011519208.tif 000024
の値を有し、
このとき、
【化７４】
2011519208.tif 000025
で、Ｌは、前記連続的な仮想資源ブロックの長さで、Ｓは、前記連続的な仮想資源ブロックの開始インデックス値で、ＮＲＢは、前記無線移動通信システムで使用可能な資源ブロックの個数で、Ｌ及びＳはそれぞれＧの整数倍の値を有し、Ｇは予め決定された自然数である、資源指示値検出方法。
（項目２）
前記資源指示値を伝送するために使用されるビットフィールドの長さＮｂｉｔ＿ｒｅｑｕｉｒｅｄは
【化７５】
2011519208.tif 000026
で、このとき、
【化７６】
2011519208.tif 000027
である、項目１に記載の資源指示値検出方法。
（項目３）
前記
【化７７】
2011519208.tif 000028
を満足し、ＮＶＲＢは、前記無線移動通信システムで使用可能な仮想資源ブロックの個数である、項目１又は２に記載の資源指示値検出方法。
（項目４）
前記Ｇは１（Ｇ＝１）である、項目１又は２に記載の資源指示値検出方法。
（項目５）
コードワードに対してコンパクトスケジューリングをサポートする無線移動通信システムで、前記コンパクトスケジューリングによって割り当てられる連続的な仮想資源ブロックの開始インデックス（Ｓ）及び長さ（Ｌ）を示す資源指示値（Ｒｅｓｏｕｒｃｅ  Ｉｎｄｉｃａｔｉｏｎ  Ｖａｌｕｅ；ＲＩＶ）を検出する方法であって、
資源ブロック割り当て情報を含むダウンリンク制御情報を受信し、
前記受信されたダウンリンク制御情報のダウンリンク制御情報フォーマットが前記コンパクトスケジューリングのために使用される場合、前記資源ブロック割り当て情報から前記資源指示値を検出することを含み、
前記開始インデックス（Ｓ）は、第１の集合｛ｓ：ｓ＝Ｐ＋ｍＴ＜ＮＲＢ、ただし、「Ｐ」は、予め決定された０以上の整数、「Ｔ」は予め決定された自然数、「ｍ」は０以上の整数、「ＮＲＢ」は、前記無線移動通信システムで使用可能な資源ブロックの個数｝の要素のうちいずれか一つで、前記長さ（Ｌ）は、第２の集合｛ｌ：ｌ＝Ｋ＋ｎＧ≦ＮＲＢ、ただし、「Ｋ」は予め決定された０以上の整数、「Ｇ」は予め決定された自然数、「ｎ」は自然数｝の要素のうちいずれか一つである、資源指示値検出方法。
（項目６）
前記Ｔは前記Ｇと同一の値である、項目５に記載の資源指示値検出方法。
（項目７）
前記Ｐは０（Ｐ＝０）で、前記Ｋは０（Ｋ＝０）である、項目５に記載の資源指示値検出方法。
（項目８）
前記Ｐは０（Ｐ＝０）で、前記Ｋは０（Ｋ＝０）である、項目６に記載の資源指示値検出方法。
（項目９）
ＮＲＢは
【化７８】
2011519208.tif 000029
で、「ＮＶＲＢ」は、前記無線移動通信システムで使用可能な仮想資源ブロックの個数である、項目８に記載の資源指示値検出方法。
（項目１０）
前記「ｌ」は、予め決定されたＬｌｉｍｉｔより小さいか同じで、前記Ｌｌｉｍｉｔは、前記Ｋより大きいか同じで、前記ＮＲＢより小さい、項目５から項目９のうちいずれか１項に記載の資源指示値検出方法。
上述した課題を解決するための本発明の一様相に係る、複数のダウンリンク制御情報フォーマットをサポートし、一つのコードワードに対して一つのセットの連続的な仮想資源ブロックを割り当てる方式であるコンパクトスケジューリング方式をサポートする無線移動通信システムで、前記コンパクトスケジューリングによって割り当てられる一つのセットの連続的な仮想資源ブロック（Ｖｉｒｔｕａｌ  Ｒｅｓｏｕｒｃｅ  Ｂｌｏｃｋ；ＶＲＢ）の開始インデックス（Ｓ）及び長さ（Ｌ）を示す資源指示値（Ｒｅｓｏｕｒｃｅ  Ｉｎｄｉｃａｔｉｏｎ  Ｖａｌｕｅ；ＲＩＶ）を検出する方法であって、資源ブロック割り当て情報を含むダウンリンク制御情報を受信し、前記受信されたダウンリンク制御情報のダウンリンク制御情報フォーマットが前記コンパクトスケジューリング方式のために使用される場合、前記資源ブロック割り当て情報から前記資源指示値を検出することを含み、前記資源指示値に対応する前記開始インデックス（Ｓ）は、第１の集合｛ｓ：ｓ＝Ｐ＋ｍＴ＜ＮＲＢ、ただし、「Ｐ」は、予め決定された０以上の整数、「Ｔ」は、予め決定された自然数、「ｍ」は０以上の整数、「ＮＲＢ」は、前記無線移動通信システムで使用可能な資源ブロックの個数｝の要素のうちいずれか一つで、前記資源指示値に対応する長さ（Ｌ）は、第２の集合｛ｌ：ｌ＝Ｋ＋ｎＧ≦ＮＲＢ、ただし、「Ｋ」は、予め決定された０以上の整数、「Ｇ」は予め決定された自然数、「ｎ」は自然数｝の要素のうちいずれか一つである。